(57)【特許請求の範囲】
【請求項１】
ブランク板を折曲して組立てられるとともに平板の基部の周縁から周壁部を立設して前記基部に対向する開口部を有した組立箱において、
前記周壁部が前記基部の周縁から折曲して外周面を形成する複数の外面板と、前記外面板の前記開口部側の端部から前記基部に向かって折り返して内周面を形成する複数の内面板と、各前記外面板の両側端から折曲される側面フラップとを有し、
前記外面板が外側を凸に湾曲して前記開口部の端部から前記基部に向かって前記内面板に対して離れる方向に傾斜し、前記外面板と前記基部に略垂直な前記内面板との間に空間から成る緩衝部を形成し、
隣接する一方の前記側面フラップが前記外面板から他方の前記側面フラップに沿って折曲して形成されるマチ部を有し、前記マチ部が曲線の折り線により囲まれて前記基部側の端部及び前記開口部側の端部で中央部よりも狭いリーフ状に形成されるとともに、他方の前記側面フラップが曲線の折り線により前記外面板から折曲されて外側を凹に湾曲し、隣接する前記外面板の間に一方の前記側面フラップの前記マチ部と前記マチ部が沿う他方の前記側面フラップの外面とが露出することを特徴とする組立箱。
【請求項２】
前記外面板の前記基部側の端縁と前記開口部側の端縁とを含む平面が前記基部に対して傾斜することを特徴とする請求項１に記載の組立箱。
【請求項３】
前記基部が矩形に形成されるとともに、前記周壁部が前記基部の四辺に形成されることを特徴とする請求項１または請求項２に記載の組立箱。
【請求項４】
前記基部が矩形に形成されるとともに、前記周壁部が前記基部の三辺に形成され、
前記基部の前記周壁部が形成されていない一辺に連設された周壁板と、前記周壁板の前記開口部側の端部に連設されて前記開口部を開閉する蓋部とを設けたことを特徴とする請求項１または請求項２に記載の組立箱。
【発明の詳細な説明】
【技術分野】
【０００１】
本発明は、ブランク板を折曲して組立てられる組立箱に関する。
【背景技術】
【０００２】
従来の組立箱は特許文献１に開示されている。この組立箱はいわゆる額縁付の身箱であり、ブランク板を折曲して組立てられる。組立箱は矩形の底面板と、底面板の各辺の周縁から立設された複数の周壁部とを有し、上面には底面板に対向する開口部が設けられる。
【０００３】
周壁部は、外面板、額縁片及び内面板を有し、周壁部の内側には内容物が収納される。外面板は底面板の周縁から折曲されて外周面を形成し、底面板に対して略垂直に配される。額縁片は外面板の上端から内側へ折曲され、額縁片の上面は底面板と略平行に配される。内面板は額縁片の内周端から底面板に向かって折り返されて内周面を形成し、底面板に対して略垂直に配される。外面板と内面板との間には空間から成る緩衝部が形成される。
【０００４】
一方の対向する一組の周壁部は外面板及び内面板の両側端にそれぞれ連設した側面フラップを有する。他方の対向する一組の周壁部は側面フラップを内側に配して底面板から折曲され、内面板の下端に設けた係止突起が底面板に設けた係止孔に係止される。これにより、一方の周壁部は側面フラップが他方の周壁部の額縁片の下面に当接して傾倒を防止される。他方の周壁部は一方の周壁部の側面フラップが外面板及び内面板に当接して傾倒を防止される。
【０００５】
上記構成の組立箱には緩衝部が設けられているため、外面板に外側から力が加わった場合に内面板の内側に収納された内容物に力が伝わりにくくなる。したがって、内容物の損傷等を防止することができる。
【先行技術文献】
【特許文献】
【０００６】
【特許文献１】特開２０００−７９９３８号公報（第４頁、第５頁、第２図）第１図、第３図）
【発明の概要】
【発明が解決しようとする課題】
【０００７】
しかしながら、上記従来の組立箱によると、隣接する額縁片の一方の端部が他方の上面に配される。このため、上方に配される額縁片の端部が組み立て時に手指等に引っ掛かって起こされ、組立箱の外観不良が発生する問題があった。また、周壁部は縦断面形状を矩形に形成されるため、傾倒しやすくなる。側面フラップによって各周壁部の長手方向の両端部は傾倒を防止されるが、中央部が傾倒して周壁部が外側に膨らむ胴膨れが生じる。このため、組立箱の美観が損なわれる問題もあった。
【０００８】
本発明は、外観不良を低減するとともに美観を向上できる組立箱を提供することを目的とする。
【課題を解決するための手段】
【０００９】
上記目的を達成するために本発明は、ブランク板を折曲して組立てられるとともに平板の基部の周縁から周壁部を立設して前記基部に対向する開口部を有した組立箱において、
前記周壁部が前記基部の周縁から折曲して外周面を形成する外面板と、前記外面板の前記開口部側の端部から前記基部に向かって折り返して内周面を形成する内面板とを有し、
前記外面板が前記開口部の端部から前記基部に向かって前記内面板に対して離れる方向に傾斜し、前記外面板と前記基部に略垂直な前記内面板との間に空間から成る緩衝部を形成することを特徴としている。
【００１０】
この構成によると、開口部を介して周壁部の内側に内容物が収納される。周壁部の外面板と内面板との間には空間から成る緩衝部が配される。
【００１１】
また本発明は、上記構成の組立箱において、前記外面板が外側を凸に湾曲すると好ましい。
【００１２】
また本発明は、上記構成の組立箱において、前記外面板の両側端から折曲される側面フラップを設けるとともに、隣接する一方の前記側面フラップが他方の前記側面フラップに沿って折曲して形成されるマチ部を有すると好ましい。
【００１３】
また本発明は、上記構成の組立箱において、一の前記側面フラップの前記マチ部が前記基部側の端部及び前記開口部側の端部で中央部よりも狭いリーフ状に形成され、一の前記側面フラップに隣接する前記側面フラップが外側を凹に湾曲すると好ましい。
【００１４】
また本発明は、上記構成の組立箱において、前記外面板の前記基部側の端縁と前記開口部側の端縁とを含む平面が前記基部に対して傾斜すると好ましい。
【００１５】
また本発明は、上記構成の組立箱において、前記基部が矩形に形成されるとともに、前記周壁部が前記基部の四辺に形成されると好ましい。
【００１６】
また本発明は、上記構成の組立箱において、前記基部が矩形に形成されるとともに、前記周壁部が前記基部の三辺に形成され、前記基部の前記周壁部が形成されていない一辺に連設された周壁板と、前記周壁板の前記開口部側の端部に連設されて前記開口部を開閉する蓋部とを設けると好ましい。
【発明の効果】
【００１７】
本発明によると、外面板の開口部側の端部から基部に向かって折り返して内面板が形成されるため、周壁部の開口部側が線状に形成される。これにより、周壁部が従来例のような額縁片を持たないため、上下に重なる額縁片が起こされることによる外観不良を低減することができる。
【００１８】
また、外面板が開口部の端部から基部に向かって内面板に対して離れる方向に傾斜するため、基部と開口部との間の内面板及び外面板の表面に沿った長さが異なる。これにより、周壁部の傾倒による胴膨れを低減して組立箱の美観を向上することができる。
【図面の簡単な説明】
【００１９】
【図１】本発明の第１実施形態の組立箱を示す斜視図
【図２】本発明の第１実施形態の組立箱の開口部側から見た斜視図
【図３】本発明の第１実施形態の組立箱を示す底面図
【図４】図３のＡ−Ａ断面図
【図５】本発明の第１実施形態の組立箱のブランク板を示す展開図
【図６】本発明の第１実施形態の組立箱の補強板を示す正面図
【図７】本発明の第１実施形態の組立箱の組立途中の状態を示す斜視図
【図８】本発明の第２実施形態の組立箱の蓋部を閉じた状態を示す斜視図
【図９】本発明の第２実施形態の組立箱の蓋部を開いた状態を示す斜視図
【図１０】本発明の第２実施形態の組立箱のブランク板を示す展開図
【図１１】本発明の第２実施形態の組立箱の組立途中の状態を示す斜視図
【発明を実施するための形態】
【００２０】
＜第１実施形態＞
以下に本発明の実施形態を図面を参照して説明する。図１は第１実施形態の組立箱の斜視図を示している。組立箱１は身箱２００に被嵌される蓋箱を構成する。身箱２００は上面を開口して商品等の内容物（不図示）を収納し、組立箱１は身箱２００を収納する収納部２０（図２参照）を有している。
【００２１】
図２は組立箱１を下方から見た斜視図を示している。図１、図２において、組立箱１はブランク板１００（図５参照）を折曲して組立てられ、筒状の胴部１０及び天面板６（基部）を備える。胴部１０は下端に開口部１０ａを有する。天面板６は略矩形の平板に形成され、開口部１０ａに対向して配される。天面板６の下方には略矩形の平板の補強板７が取り付けられる。身箱２００を収納した組立箱１の立体形状は略四角錐台形状になっている。
【００２２】
胴部１０は対向する前面部２と背面部３との間の両側方に側面部４、５を配して形成される。前面部２、背面部３及び側面部４、５はそれぞれ天面板６の周縁から立設した周壁部８を形成する。前面部２、背面部３及び側面部４、５はそれぞれ外面板２１、３１、４１、５１を有するとともに、それぞれ内面板２２、３２、４２、５２を有する。なお、以下の説明において、外面板２１、３１、４１、５１及び内面板２２、３２、４２、５２をそれぞれ総称して「外面板８１」及び「内面板８２」という場合がある。
【００２３】
天面板６の上面（外面）及び周壁部８の外周面には身箱２００に収納される商品に関する情報（文字、図柄等）が印刷される。これにより、組立箱１は商品の広告宣伝を行うことができる。なお、印刷に替えて、天面板６の上面及び周壁部８の外周面に商品に関する情報を印刷したシート等を貼着してもよい。
【００２４】
前面部２と側面部４、５との間のコーナー部及び背面部３と側面部４、５との間のコーナー部は収納部２０側に凹んで形成される。また、前面部２と側面部４、５との間のコーナー部及び背面部３と側面部４、５との間のコーナー部には後述のリーフ状のマチ部１２が形成される。マチ部１２の外面は外側を凹に湾曲している。
【００２５】
また、組立箱１の各コーナー部において、後述の側面フラップ４１ａ、４１ｂ、５１ａ、５１ｂの折り線９０（図５参照）側の端部がリーフ形状となって露出する。この時、各コーナー部にはマチ部１２の周縁を形成する２本の折り線９０から成って上下に延びる稜線部と、側面フラップ４１ａ、４１ｂ、５１ａ、５１ｂと外面板８１との間の１本の折り線９０から成って上下に延びる稜線部とが配される。すなわち、各コーナー部にはそれぞれ３個の稜線部が形成される。
【００２６】
図３は組立箱１の底面図を示し、図４は図３のＡ−Ａ断面図を示している。なお、図４では外面板５１及び内面板５２を図示しているが、外面板２１、３１、４１の構成は外面板５１と同様であるとともに内面板２２、３２、４２の構成は内面板５２と同様である。
【００２７】
外面板２１、３１、４１、５１は天面板６の前辺、後辺、右辺及び左辺から折り線９０（図５参照）を介して折り曲げられて胴部１０の外周面を形成する。外面板２１、３１、４１、５１は外側を凸に湾曲している。また、外面板５１の上端縁（天面板６側の端縁）と下端縁（開口部１０ａ側の端縁）とを含む平面ＰＬが天面板６に対して傾斜している。
【００２８】
内面板２２、３２、４２、５２はそれぞれ外面板２１、３１、４１、５１の下端（開口部１０ａ側の端部）から天面板６に向かって折り返され、胴部１０の内周面を形成する。内面板２２、３２、４２、５２は天面板６に対して略垂直に配される。
【００２９】
ブランク板１００（図５参照）における外面板５１の幅Ｌ１（上下方向の幅）は内面板５２の幅Ｌ２（上下方向の幅）よりも大きくなっている。これにより、外面板２１、３１、４１、５１は下端部（開口部１０ａの端部）から天面板６に向かって内面板５２に対して離れる方向に傾斜する。なお、本実施形態では幅Ｌ１は約４１ｍｍに形成され、幅Ｌ２は約３８．５ｍｍに形成される。
【００３０】
外面板５１と内面板５２との間には空間から成る緩衝部３０が形成される。これにより、外面板５１に外側から力が加わった際に緩衝部３０によって内面板５２への力の伝達が低減される。したがって、収納部２０内の身箱２００及び身箱２００内に収納された商品等の損傷を防止することができる。
【００３１】
図５は組立箱１の展開図を示している。組立箱１を形成するブランク板１００は紙製のシートを打ち抜いて形成される。ブランク板１００の材質に特に限定はないが、例えばマニラボール、ボール紙、カード紙、クラフトボール等の板紙を用いることができる。また、薄い樹脂板によりブランク板１００を形成してもよい。樹脂板としては例えばＰＥＴ（ポリエチレンテレフタレート）やＰＰ（ポリプロピレン）から成る透明な樹脂板が好ましい。これにより、顧客等は組立箱１に収納された内容物を容易に視認することができる。
【００３２】
天面板６の前端（図中、下端）及び後端（図中、上端）には折り線９０を介してそれぞれ外面板２１、３１が連設される。天面板６の右端及び左端には折り線９０を介してそれぞれ外面板４１、５１が連設される。
【００３３】
外面板２１、３１、４１、５１の下端にはそれぞれ内面板２２、３２、４２、５２が連設される。内面板２２、３２、４２、５２の上端には折り線９０を介してそれぞれ上面フラップ２３、３３、４３、５３が連設される。内面板４２と上面フラップ４３との境界及び内面板５２と上面フラップ５３との境界には両端を折り線９０上に配したコ字状の切り込み４２ｂ、５２ｂがそれぞれ形成される。
【００３４】
内面板４２の前後端には折り線９０を介してそれぞれ係合板４４、４５が連設され、内面板５２の前後端には折り線９０を介してそれぞれ係合板５４、５５が連設される。係合板４４、４５、５４、５５の先端部には上下に延びる切り込み４４ａ、４５ａ、５４ａ、５５ａがそれぞれ設けられる。
【００３５】
隣接する外面板２１、５１の間にはリード罫から成る折畳み部９１を介して隣接する側面フラップ２１ａ、５１ａが設けられる。側面フラップ２１ａは曲線状の折り線９０を介して外面板２１に連設され、側面フラップ５１ａは曲線状の折り線９０を介して外面板５１に連設される。
【００３６】
また、側面フラップ２１ａには曲線状の折り線９０に囲まれたリーフ状のマチ部１２が形成される。マチ部１２は天面板６側の端部及び内面板２２側の端部が中央部よりも狭くなっている。
【００３７】
同様に、隣接する外面板２１、４１の間にはリード罫から成る折畳み部９１を介して隣接する側面フラップ２１ｂ、４１ａが設けられる。側面フラップ２１ｂは曲線状の折り線９０を介して外面板２１に連設され、側面フラップ４１ａは曲線状の折り線９０を介して外面板４１に連設される。側面フラップ２１ｂには曲線状の折り線９０に囲まれたリーフ状のマチ部１２が形成される。
【００３８】
隣接する外面板３１、５１の間にはリード罫から成る折畳み部９１を介して隣接する側面フラップ３１ａ、５１ｂが設けられる。側面フラップ３１ａは曲線状の折り線９０を介して外面板３１に連設され、側面フラップ５１ｂは曲線状の折り線９０を介して外面板５１に連設される。側面フラップ３１ａには曲線状の折り線９０に囲まれたリーフ状のマチ部１２が形成される。
【００３９】
隣接する外面板３１、４１の間にはリード罫から成る折畳み部９１を介して隣接する側面フラップ３１ｂ、４１ｂが設けられる。側面フラップ３１ｂは曲線状の折り線９０を介して外面板３１に連設され、側面フラップ４１ｂは曲線状の折り線９０を介して外面板４１に連設される。側面フラップ３１ｂには曲線状の折り線９０に囲まれたリーフ状のマチ部１２が形成される。
【００４０】
図６は補強板７の正面図を示している。補強板７は矩形に形成され、左右端の前後方向の中央部には側方に突出する突部７ａが形成される。
【００４１】
上記のブランク板１００は内面板４２、５２が外面板４１、５１に対して折曲される。次に、係合板４４、４５が内面板４２に対して折曲され、係合板５４、５５が内面板５２に対して折曲される。
【００４２】
次に、外面板２１、３１、４１、５１が天面板６から折曲して立設される。この時、側面フラップ２１ａ、５１ａは折畳み部９１で折り畳まれ、係合板５４と外面板２１との間に配される。同様に、側面フラップ２１ｂ、４１ａは折畳み部９１で折り畳まれ、係合板４４と外面板２１との間に配される。側面フラップ３１ａ、５１ｂは折畳み部９１で折り畳まれ、係合板５５と外面板３１との間に配される。側面フラップ３１ｂ、４１ｂは折畳み部９１で折り畳まれ、係合板４５と外面板３１との間に配される。
【００４３】
この時、側面フラップ４１ａ、４１ｂ、５１ａ、５１ｂの端部の曲線状の折り線９０によって外面板４１、５１は外側を凸に湾曲し、側面フラップ４１ａ、４１ｂ、５１ａ、５１ｂは外側を凹に湾曲する。側面フラップ２１ａ、２１ｂ、３１ａ、３１ｂの端部の曲線状の折り線９０によって外面板２１、３１は外側を凸に湾曲する。
【００４４】
また、側面フラップ２１ａ、２１ｂ、３１ａ、３１ｂがそれぞれ隣接する側面フラップ５１ａ、４１ａ、５１ｂ、４１ｂに沿って折り曲げられてマチ部１２が形成される。この時、側面フラップ２１ａ、２１ｂ、３１ａ、３１ｂはそれぞれ側面フラップ５１ａ、４１ａ、５１ｂ、４１ｂに対向する面が収納部２０側（内側）に凸になるように湾曲する。これにより、側面フラップ２１ａ、２１ｂ、３１ａ、３１ｂはそれぞれ側面フラップ５１ａ、４１ａ、５１ｂ、４１ｂに密着する。
【００４５】
次に、係合板４４の切り込み４４ａと係合板５４の切り込み５４ａとが互いに差し込まれる。同様に、係合板４５の切り込み４５ａと係合板５５の切り込み５５ａとが互いに差し込まれる。図７はこの時の状態を示す斜視図である。これにより、内面板４２、５２がそれぞれ外面板４１、５１の下端から天面板６に向けて折曲され、天面板６に対して略垂直に配される。これにより、内面板４２、５２と外面板４１、５１との間に緩衝部３０が形成される。この時、上面フラップ４３、５３が天面板６に沿って折曲されるとともに、切り込み４２ｂ、５２ｂからそれぞれスリット４２ａ（不図示）、スリット５２ａ（図４参照）が形成される。
【００４６】
次に、内面板２２、３２がそれぞれ外面板２１、３１の下端から天面板６に向けて折曲され、天面板６に対して略垂直に配される。これにより、内面板２２、３２と外面板２１、３１との間に緩衝部３０が形成される。この時、緩衝部３０内に係合板４４、４５、５４、５５が配される。また、上面フラップ２３、３３が天面板６に沿って折曲される。そして、開口部１０ａを上にした状態で、上面フラップ２３、３３の上方に上面フラップ４３、５３が配置される。これにより、内面板２２、３２の浮き上りが低減される。
【００４７】
次に、補強板７が天面板６の内面上に配され、両側端の突部７ａは側面部４、５のスリット４２ａ、５２ａに挿入される。これにより、組立箱１が組み立てられる。
【００４８】
そして、商品等の内容物が収納された身箱２００の上方から組立箱１が被せられる。その後に、粘着テープ部材等を用いて組立箱１と身箱２００とを接着することにより身箱２００は封緘される。
【００４９】
本実施形態によると、外面板８１の開口部１０ａ側の端部から天面板６（基部）に向かって折り返して内面板８２が形成されるため、周壁部８の開口部１０ａ側が線状に形成される。これにより、周壁部８が従来例のような額縁片を持たないため、上下に重なる額縁片が起こされることによる外観不良を低減することができる。また、外面板８１が開口部１０ａの端部から天面板６に向かって内面板８２に対して離れる方向に傾斜するため、天面板６と開口部１０ａとの間の内面板８２及び外面板８１の表面に沿った長さが異なる。これにより、周壁部８の傾倒による胴膨れを低減して組立箱１の美観を向上することができる。
【００５０】
また、外面板８１が外側を凸に湾曲するため、荷重時に弾性変形して外面板８１上に折り目の形成を防止することができる。
【００５１】
また、外面板５１の両側端から折曲される側面フラップ５１ａを設けるとともに、側面フラップ５１ａに隣接する側面フラップ２１ａが側面フラップ５１ａに沿って折曲して形成されるマチ部１２を有する。これにより、組立箱１を補強することができる。
【００５２】
また、側面フラップ２１ａのマチ部１２は上端部（天面板６側の端部）及び下端部（開口部１０ａ側の端部）が中央部よりも狭いリーフ状に形成され、側面フラップ２１ａに隣接する側面フラップ５１ａが外側を凹に湾曲する。これにより、側面フラップ２１ａと側面フラップ５１ａとが密着し、組立箱１のコーナー部の隙間を低減することができる。また、組立箱１の各コーナー部ではリーフ状のマチ部１２が視認されるため、組立箱１の美観を向上させることができる。
【００５３】
また、内面板５２が天面板６上に垂直に配され、外面板５１の上端部（天面板６側の端部）と下端部（開口部１０ａ側の端部）とを含む平面ＰＬが天面板６に対して傾斜する。これにより、組立箱１を容易に実現することができる。
【００５４】
＜第２実施形態＞
次に本発明の第２実施形態について説明する。図８及び図９は第２実施形態の組立箱の斜視図を示している。なお、図８及び図９は蓋部３５を閉じた状態及び開いた状態をそれぞれ示している。説明の便宜上、図１〜図７に示す第１実施形態と同様の部分には同一の符号を付している。本実施形態では、ブランク板１１０（図１０参照）を折曲して組立てられる組立箱９１が収納箱により形成される点で第１実施形態とは異なっている。その他の部分は第１実施形態と同様である。
【００５５】
組立箱９１は蓋部３５を一体に形成した収納箱を構成する。組立箱９１はブランク板１１０（図１０参照）を折曲して組立てられ、筒状の胴部１０及び底面板１１（基部）を備える。組立箱９１の立体形状は略四角錐台になっている。胴部１０は上端に開口部１０ａを有する。底面板１１は略矩形の平板により形成され、開口部１０ａに対向して配される。底面板１１の上方には略矩形の平板の補強板７が取り付けられる。組立箱９１は商品等の内容物を収納する収納部２０を有する。
【００５６】
底面板１１の前辺、左辺及び右辺にはそれぞれ前面部２、側面部４、５が形成される。底面板１１の後辺には第１実施形態の背面部３に替えて周壁板３４（外面板）が形成される。周壁板３４の上端（開口部１０ａ側の端部）には平板の蓋部３５が連設される。蓋部３５は折り線９０を介して周壁板３４に対して折曲可能に形成され、収納部２０を開閉する。
【００５７】
図１０は組立箱９１の展開図を示している。底面板１１の後端（図中、上端）には折り線９０を介して周壁板３４が連設される。周壁板３４の上端には折り線９０を介して蓋部３５が連設される。蓋部３５の前端（図中、上端）、左端及び右端には折り線９０を介してそれぞれ蓋フラップ３５ａ、３５ｂ、３５ｃが連設される。蓋フラップ３５ａの前端には折り線９０を介して半円状の摘持部３５ｄが連設される。蓋フラップ３５ａには両端を折り線９０上に配した円弧状の切り込み３５ｅが形成される。
【００５８】
外面板２１の左右方向中央部には左右方向に延びる開閉板２１ｄが設けられる。開閉板２１ｄは矩形部分と該矩形部分の両端に円弧部分を有する長円形形状に形成され、上辺部分と円弧部分には切り込みが形成されるとともに下辺部分にはミシン目が形成される。係合板４５、５５の下端にはそれぞれ下面フラップ４５ｂ、５５ｂが連設される。
【００５９】
図１１は組立途中の組立箱９１の斜視図を示している。ブランク板１１０において、折り線９０を介した摘持部３５ｄの折曲により差込片３５ｆが切り起こされる。蓋フラップ３５ａ、３５ｂ、３５ｃは折り線９０を介して蓋部３５の内面側に折り曲げられる。そして、蓋フラップ３５ｂ、３５ｃは胴部１０内に差し込まれるとともに、蓋フラップ３５ａは外面板２１の前方に配される。
【００６０】
その後に、差込片３５ｆが開閉板２１ｄを押圧すると開閉板２１ｄの上端部と外面板２１との間にスリット（不図示）が形成される。差込片３５ｆがスリットに差し込まれると開閉板２１ｄとスリットの上端部とにより差込片３５ｆが挟持される。これにより、蓋部３５の閉状態が保持され、収納部２０の閉鎖状態を維持することができる。そして、使用者は摘持部３５ｄを摘持し、差込片３５ｆをスリットから抜くことにより蓋部３５を開くことができる。
【００６１】
また、蓋部３５を閉じた際に、側面フラップ３１ａ、３１ｂの前面（前方が凸になるように湾曲した曲面）はそれぞれ側面フラップ５１ｂ、４１ｂの背面（外側を凹に湾曲した曲面）に密着する。これにより、蓋部３５を閉じた際に組立箱９１の後部のコーナー部の隙間を低減することができる。一方、蓋部３５を開くと、側面フラップ３１ａ、３１ｂの前面はそれぞれ側面フラップ５１ｂ、４１ｂの背面から離れる。
【００６２】
本実施形態でも第１実施形態と同様の効果を得ることができる。また、前面部２、側面部４、５（周壁部）が底面板１１（基部）の前辺、左辺及び右辺にそれぞれ形成され、後辺に連設された周壁板３４と、周壁板３４の上端部（開口部１０ａ側の端部）に連設されて開口部１０ａを開閉する蓋部３５とを設けている。これにより、収納部２０から必要な内容物を取り出した後に蓋部３５を閉じて残りの内容物を容易に保管することができる。したがって、組立箱９１の利便性を向上させることができる。
【００６３】
なお、第１実施形態の組立箱１及び第２実施形態の組立箱９１の立体形状は、略四角錐台に限定されず、例えば略四角柱でもよい。
【００６４】
また、第１実施形態及び第２実施形態において、外面板２１、３１、４１、５１は外側を凸に湾曲しているが、外面板２１、３１、４１、５１を平板により形成してもよい。
【産業上の利用可能性】
【００６５】
本発明は、ブランク板を折曲して組立てられる組立箱に利用可能である。
【符号の説明】
【００６６】
１、９１  組立箱
２    前面部
３    背面部
４、５    側面部
６    天面板
８    周壁部
１０    胴部
１１    底面板
１２    マチ部
２０    収納部
２１、３１、４１、５１    外面板
２２、３２、４２、５２    内面板
２１ａ、２１ｂ、３１ａ、３１ｂ、４１ａ、４１ｂ、５１ａ、５１ｂ    側面フラップ
２３、３３、４３、５３    上面フラップ
４４、４５、５４、５５    係合板
１００、１１０    ブランク板
２００    身箱
【図１】
0006733197.tif 000002
【図２】
0006733197.tif 000003
【図３】
0006733197.tif 000004
【図４】
0006733197.tif 000005
【図５】
0006733197.tif 000006
【図６】
0006733197.tif 000007
【図７】
0006733197.tif 000008
【図８】
0006733197.tif 000009
【図９】
0006733197.tif 000010
【図１０】
0006733197.tif 000011
【図１１】
0006733197.tif 000012